【手続補正書】
【提出日】平成28年6月7日(2016.6.7)
【手続補正１】
【補正対象書類名】特許請求の範囲
【補正対象項目名】全文
【補正方法】変更
【補正の内容】
【特許請求の範囲】
【請求項１】
電子機器であって、
表示手段に対するタッチ操作を検知するタッチ検知手段と、
前記表示手段にタッチアイコンを表示するように制御する表示制御手段と、
前記電子機器の姿勢を検知する姿勢検知手段と、
前記電子機器をケース内に入れたときに使用するケースモードを設定する設定手段と、
前記設定手段によって前記ケースモードに設定されていない場合には、前記姿勢検知手段で検知した当該電子機器の姿勢に応じて前記タッチアイコンに対するタッチ操作を受け付ける反応領域の位置を変更し、前記ケースモードに設定されている場合には、前記電子機器の姿勢に関わらず、前記反応領域の位置を変更しないように制御する制御手段と
を有することを特徴とする電子機器。
【請求項２】
前記反応領域へのタッチ操作を検知したことに応じて、前記タッチアイコンに対応する特定の機能を実行する実行手段を更に有することを特徴とする請求項１に記載の電子機器。
【請求項３】
前記表示制御手段は、前記姿勢検知手段で検知した姿勢に応じた前記電子機器の姿勢を示す表示アイテムを前記表示手段に表示するように制御することを特徴とする請求項１または２に記載の電子機器。
【請求項４】
前記表示制御手段は、前記設定手段で前記ケースモードに設定されたことに応じて、前記タッチアイコンの表示位置または大きさの少なくとも一方を変更するように制御することを特徴とする請求項１乃至３の何れか１項に記載の電子機器。
【請求項５】
前記ケースは、前記電子機器が収納された場合に、前記ケースの外部から該ケースに備えられた操作部材を介して前記表示手段の特定の位置にタッチ操作を行えるようにしたケースであることを特徴とする請求項１乃至４の何れか１項に記載の電子機器。
【請求項６】
前記制御手段は、前記ケースモードに設定されていない場合に前記タッチアイコンに割り当てられていない機能であって、前記ケースに前記電子機器が収納された場合に操作できなくなる位置に配置された操作手段に割り当てられた第１の機能を、前記設定手段で前記ケースモードに設定されたことに応じて、前記タッチアイコンに割り当てるように制御することを特徴とする請求項１乃至５のいずれか1項に記載の電子機器。
【請求項７】
前記第１の機能は、静止画撮影指示であることを特徴とする請求項６に記載の電子機器。
【請求項８】
前記制御手段は、前記ケースモードに設定されていない場合に前記タッチアイコンに割り当てられている第２の機能を、前記設定手段で前記ケースモードに設定されたことに応じて、前記操作手段に割り当てるように制御することを特徴とする請求項６または７に記載の電子機器。
【請求項９】
前記設定手段は、ユーザの操作に応じて前記ケースモードを設定することを特徴とする請求項１乃至８の何れか１項に記載の電子機器。
【請求項１０】
前記表示制御手段は、前記設定手段で前記ケースモードに設定されたことに応じて、前記表示手段に、前記ケースモードの設定を解除するための表示アイテムを表示するように制御することを特徴とする請求項９に記載の電子機器。
【請求項１１】
前記電子機器をケースに収納されたことを検知する収納検知手段を更に有し、
前記設定手段は、前記収納検知手段でケースに収納されたことを検知したことに応じて前記ケースモードに設定する
ことを特徴とする請求項１乃至１０の何れか１項に記載の電子機器。
【請求項１２】
前記収納検知手段は、前記電子機器を収納したケースの種別を検知でき、
前記設定手段は、複数のケースモードのうち、前記収納検知手段で検知したケースの種別に応じたケースモードに設定する
ことを特徴とする請求項１１に記載の電子機器。
【請求項１３】
撮像手段を更に有し、
前記表示制御手段は、前記タッチアイコンとともに、前記撮像手段で撮像されたライブビュー画像を表示するように制御し、
前記制御手段は、前記ライブビュー画像を、前記設定手段で前記ケースモードに設定されているか否かに関わらず、また、前記姿勢検知手段で検知している姿勢に関わらず、回転せずに表示する
ことを特徴とする請求項１乃至１２の何れか１項に記載の電子機器。
【請求項１４】
前記制御手段は、前記撮像手段で撮像された画像を、前記姿勢検知手段で検知している姿勢に応じて回転して記録媒体に記録するように制御することを特徴とする請求項１３に記載の電子機器。
【請求項１５】
前記制御手段は、前記撮像手段で撮像された画像に、前記姿勢検知手段で検知している姿勢に応じた姿勢情報を属性情報として関連付けて記録媒体に記録するように制御することを特徴とする請求項１３または１４に記載の電子機器。
【請求項１６】
前記制御手段は、前記設定手段によって前記ケースモードに設定されている場合に、前記電子機器の姿勢に応じて、前記タッチアイコンの表示位置を変更することなく表示向きを変更するように制御することを特徴とする請求項１乃至１５の何れか１項に記載の電子機器。
【請求項１７】
前記電子機器は、携帯電話端末であることを特徴とする請求項１乃至１６の何れか１項に記載の電子機器。
【請求項１８】
電子機器が使用されている姿勢を検知する姿勢検知手段と、 
タッチパネルと、 
前記電子機器を操作するための操作キーを前記タッチパネルに表示させる表示制御手段と、 
電子機器をケースに入れて使うケースモードに設定する設定手段と、 
前記ケースモードに設定されていない際は、前記姿勢検知手段によって検知された前記電子機器の姿勢に応じて、前記タッチパネルに表示される前記操作キーの位置を変更し、前記ケースモードに設定された際は、前記姿勢検知手段によって検知された結果に応じた前記タッチパネルに表示される前記操作キーの位置の変更を行わないように制御する制御手段と
を備えることを特徴とする電子機器。
【請求項１９】
電子機器が使用されている姿勢を検知する姿勢検知手段と、 
タッチパネルと、 
前記電子機器を操作するための操作キーを前記タッチパネルに表示させる表示制御手段と、 
電子機器がケースに収納されているか否かを検知するケース検知手段と、 
前記ケース検知手段での検知結果に応じて、前記ケースに収納されていない際は、前記姿勢検知手段によって検知された前記電子機器の姿勢に応じて、前記タッチパネルに表示される前記操作キーの位置を変更し、前記ケースに収納されている際は、前記姿勢検知手段によって検知された結果応じた前記タッチパネルに表示される前記操作キーの位置の変更をしないように制御する制御手段と
を備えることを特徴とする電子機器。 
【請求項２０】
電子機器の制御方法であって、
表示手段に対するタッチ操作を検知するタッチ検知ステップと、
前記表示手段にタッチアイコンを表示するように制御する表示制御ステップと、
前記電子機器の姿勢を検知する姿勢検知ステップと、
前記電子機器をケース内に入れたときに使用するケースモードを設定する設定ステップと、
前記設定ステップによって前記ケースモードに設定されていない場合には、前記姿勢検知ステップで検知した当該電子機器の姿勢に応じて前記タッチアイコンに対するタッチ操作を受け付ける反応領域の位置を変更し、前記ケースモードに設定されている場合には、前記電子機器の姿勢に関わらず、前記反応領域の位置を変更しないように制御する制御ステップと
を有することを特徴とする電子機器の制御方法。
【請求項２１】
電子機器を制御する制御方法であって、
前記電子機器の姿勢を検知する姿勢検知ステップと、 
前記電子機器を操作するための操作キーをタッチパネルに表示させる表示制御ステップと、 
前記電子機器をケースに入れて使うケースモードに設定する設定ステップと、 
前記ケースモードに設定されていない際は、前記姿勢検知ステップによって検知された前記電子機器の姿勢に応じて、前記タッチパネルに表示される前記操作キーの位置を変更し、前記ケースモードに設定された際は、前記姿勢検知ステップによって検知された結果に応じた前記タッチパネルに表示される前記操作キーの位置の変更を行わないように制御する制御ステップと
を備えることを特徴とする電子機器の制御方法。
【請求項２２】
電子機器を制御する制御方法であって、
前記電子機器の姿勢を検知する姿勢検知ステップと、 
前記電子機器を操作するための操作キーをタッチパネルに表示させる表示制御ステップと、 
前記電子機器がケースに収納されているか否かを検知するケース検知ステップと、 
前記ケース検知ステップでの検知結果に応じて、前記ケースに収納されていない際は、前記姿勢検知ステップによって検知された前記電子機器の姿勢に応じて、前記タッチパネルに表示される前記操作キーの位置を変更し、前記ケースに収納されている際は、前記姿勢検知ステップによって検知された結果応じた前記タッチパネルに表示される前記操作キーの位置の変更をしないように制御する制御ステップと
を備えることを特徴とする電子機器の制御方法。 
【請求項２３】
コンピュータを、請求項１乃至１９のいずれか１項に記載された電子機器の各手段として機能させるためのプログラム。
【請求項２４】
コンピュータを、請求項１乃至１９のいずれか１項に記載された電子機器の各手段として機能させるためのプログラムを格納したコンピュータが読み取り可能な記憶媒体。